(57)【要約】      （修正有）【課題】壁面への取付作業が容易であり、室内や壁面の外観を損なうことが可及的に抑えながらも、比較的重量のある物品を壁面に掛止することのできる物品支持具及び壁掛けプランターを提供する。【解決手段】物品支持具は、被支持物に取り付けられる基端部１１と、基端部から屈曲されると共に被支持物に対して下方に伸びる挿入部１２とから成る板状の係合片１０と、壁面に取り付けられる脚部と係合片の挿入部を緩挿する凹部２１とを有する略直方体状の支持部材２０とにより構成され、かつ、基端部の被支持物接触面と挿入部の壁面接触面との距離が、支持部材の被支持物側面と壁面接触面側との距離以上になるよう構成した。なお、該物品支持具は、脚部の上面から壁面接触側に向かって、斜め下方に孔部を設けて構成する。【選択図】図１
0003180199.tif 000002
【実用新案登録請求の範囲】
【請求項１】
被支持物に取り付けられる基端部（１１）と、基端部（１１）から屈曲されると共に被支持物に対して下方に伸びる挿入部（１２）とから成る板状の係合片（１０）と、壁面に取り付けられる脚部（２２）と、係合片（１０）の挿入部（１２）を緩挿する凹部（２１）とを有する略直方体状の支持部材（２０）とにより構成され、かつ、基端部（１１）の被支持物接触面と挿入部（１２）の壁面接触面との距離が、支持部材（２０）の被支持物側面と壁面接触面側との距離以上である物品支持具。
【請求項２】
脚部（２２）の上面から壁面接触側に向かって、斜め下方に孔部（２３）を設けた請求項１記載の物品支持具。
【請求項３】
請求項１又は２に記載の物品支持具を備える壁掛けプランター。
【考案の詳細な説明】
【技術分野】
【０００１】
この考案は、例えば、プランターや額等の各種の被支持物を壁面等に掛止するための物品支持具及び、当該物品支持具を備えた壁掛けプランターに関する。
【背景技術】
【０００２】
プランターや額等の各種の被支持物を壁面等に掛止するための支持具として、Ｘフックと呼ばれる金具が汎用されている。図９はＸフック１の使用状態を示す説明図であり、細い釘状のピン２を用いて壁面Ａに固定されるものであり、鈎部３に被支持物を掛止するものである。
【０００３】
特許文献１には、上向きフックと下向きフックを係合させることで支持される、壁掛けプランターが開示されている。
【先行技術文献】
【特許文献】
【０００４】
【特許文献１】特開２０００−３４２０７６号公報
【考案の概要】
【考案が解決しようとする課題】
【０００５】
上述のＸフックは取り付け作業が容易で、しかもピン径が細いため、壁面へのダメージを最小限に抑えることが出来るというメリットを有する反面、重量物を支持できないという難点を有する。
【０００６】
そこで本考案は壁面への取付作業が容易であり、室内や壁面の外観を損なうことが可及的に抑えながらも、比較的重量のある物品を壁面に掛止することのできる物品支持具及び壁掛けプランターを提供することを目的とする。
【課題を解決するための手段】
【０００７】
上記の目的を達成する本考案の構成は次の通りである。
【０００８】
（１）  請求項１記載に係る物品支持具は、被支持物に取り付けられる基端部と、基端部から屈曲されると共に被支持物に対して下方に伸びる挿入部とから成る板状の係合片と、壁面に取り付けられる脚部と係合片の挿入部を緩挿する凹部とを有する略直方体状の支持部材とにより構成され、かつ、基端部の被支持物接触面と挿入部の壁面接触面との距離が、支持部材の被支持物側面と壁面接触面側との距離以上になるよう構成した。
【０００９】
（２）  請求項２記載に係る物品支持具は、請求項１記載の考案において、脚部の上面から壁面接触側に向かって、斜め下方に孔部を設けて構成した。
【００１０】
（３）  請求項３記載の壁掛けプランターは、請求項１又は２に記載の物品支持具を壁掛けプランターに備えて構成した。
【考案の効果】
【００１１】
上記のように構成される本考案が、いかなる作用を有するかを図面を参照しながら概説する。
【００１２】
図１は本考案に係る物品支持具の使用状態を示す説明図である。壁面Ａに支持部材２０を固着し、当該支持部材２０の凹部２１に、係合片１０の挿入部１２を差し込み使用するものである。この際、被支持物は基端部１１に固着される。
【００１３】
図７、図８は被支持物たるプランター３０に係合片１０を取付け、壁面Ａに取り付けた支持部材２０に掛止する過程を示す説明図である。本考案において、図２ａに示される係合片１０の基端部１１の被支持物接触面１１ａと、挿入部１２の壁面接触面１２ａとの距離Ｈ１は、図３ｃに示される支持部材２０の被支持物側面２０ａと壁面接触面２０ｂとの距離Ｈ２以上に形成されている。それゆえ、図に示されるように挿入部１２を凹部２１に差し込むと、挿入部１２の壁面接触面１２ａは必ず壁面Ａと接することになる。
【００１４】
すなわち、本考案によれば支持部材２０の脚部２２のみならず、挿入部１２の壁面接触面１２ａによっても、重量が支持されることになり、Ｘフック等に比べ比較的重量のある物品を壁面に掛止することが可能となるのである。
【００１５】
また、脚部２２を壁面に接着する、あるいは請求項２記載の考案のように支持部材２０の上面から壁面接触側に向かって斜め下方に設ける孔部２３にピンを差し込むという簡易な方法で、支持部材２０を壁面に取り付けることが可能であり、室内や壁面の外観を損なうことが可及的に抑えることが可能となるのである。
【００１６】
上記のように本考案に係る物品支持具を用いれば比較的重量物でも支持できることから、Ｘフックでは難しかったプランターの壁面への取り付けも可能となるのである。
【図面の簡単な説明】
【００１７】
【図１】実施状態を示す説明図
【図２】ａ  係合片の正面図    ｂ  同斜視図
【図３】ａ  支持部材の平面図  ｂ  同正面図  ｃ  同右側面図
【図４】請求項３記載の考案の正面図
【図５】同平面図
【図６】同右側面図
【図７】同使用状態を示す説明図
【図８】同使用状態を示す説明図
【図９】Ｘフックの使用状態を示す説明図
【考案を実施するための形態】
【００１８】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００１９】
係合片１０は図２に示すように、基端部１１と、該基端部１１から屈曲されると共に被支持物に対して下方に伸びる挿入部１２とから成る板状体である。図示された形態は直線的に屈曲されているが、湾曲した形状で屈曲形成しても構わない。また材質は金属製が好ましいが、樹脂その他の素材でも、重量を支持可能であり、屋外での使用に耐えうるものであれば任意の素材を採用できる。
【００２０】
また、挿入部１２は壁面に当接して被支持物の重量を分散支持する役割も果たすことから、ある程度幅広に形成することが好ましい。
【００２１】
被支持物に対する係合片１０の取付方法は、基端部１１に図示していないが孔部を設け、被支持物に達する深さでピンを差し込むといった方法、その他基端部１１を被支持物に接着させるといった方法が採用できる。
【００２２】
支持部材２０は図３に示すように、平面視した状態で逆コ字状を呈する略直方体であり、平面から底面に至る凹部２１を形成することで、両側部に脚部２２が設けられるものである。
【００２３】
請求項２記載の考案においては、脚部２２の上面から壁面接触側２０ｂに向かって、斜め下方に孔部２３が設けられている。この孔部２３にピンを壁面に達する深さで差し込むことで、支持部材２０を壁面に固定するものである。また材質は金属製あるいは樹脂製が好ましいが、その他の素材でも、重量を支持可能であり、屋外での使用に耐えうるものであれば任意の素材を採用できる。
【００２４】
本考案においては、先述のように、図２に示される係合片１０の基端部１１の被支持物接触面１１ａと、挿入部１２の壁面接触面１２ａとの距離Ｈ１は、図３ｃに示される支持部材２０の被支持物側面２０ａと壁面接触面２０ｂとの距離Ｈ２以上に形成されている。
【００２５】
請求項３記載の考案は、上記本考案に係る物品支持具を、プランターに装着したものである。図４乃至図６に示すように、プランター３０は上部が開放され、内部に植木鉢４０を収納可能なポット型を採用しているが、むろん係る限定を受けるものではなく、合成樹脂製の上方に開口する略箱状をしたもの、その他一般的に採用されている従来型プランターにも装着可能である。
【００２６】
プランター３０の背面には係合片２０が装着されている。装着方法はピンで留める、接着する、その他任意の方法が採用できる。
【符号の説明】
【００２７】
１０・・係合片
１１・・基端部
１１ａ・・被支持物接触面
１２・・挿入部
１２ａ・・壁面接触面
２０・・支持部材
２１・・凹部
２２・・脚部
２３・・孔部
３０・・プランター
【図１】
0003180199.tif 000003
【図２】
0003180199.tif 000004
【図３】
0003180199.tif 000005
【図４】
0003180199.tif 000006
【図５】
0003180199.tif 000007
【図６】
0003180199.tif 000008
【図７】
0003180199.tif 000009
【図８】
0003180199.tif 000010
【図９】
0003180199.tif 000011